(57)【要約】【課題】  段ボールなどの包装部材に貼付されている粘着テープを剥がす作業を容易にする。【解決手段】  段ボール１、ガムテープ２、紐３、および紙４からなる梱包材において、段ボール１の上面に、蓋部１ａ、１ｂの合わせ目と交差するように紐３を載置する。紐３の両端部が露出するように、紐３の上に紙４を載置する。さらに、ガムテープ２を紐３と交差した状態で紙４の上を横断させ、両端部を段ボール１に貼付するようにした。  上記梱包材の紙４を指などで押さえながら、紐３の一方の端部を他方の端部の方向に引くことにより、ガムテープ２が切断される。このとき、ガムテープ２の切断された部分の端部は段ボール１と接着していないため、ガムテープ２を剥がす作業を容易に行うことができる。【選択図】      図１
2006282200.tif 000002
【特許請求の範囲】
【請求項１】
包装部材と、
前記包装部材の上に載置された紐状部材と、
前記紐状部材の上に載置された紙と、
前記紐状部材と交差した状態で前記紙の上を横断し、両端部が前記包装部材に貼付された粘着テープと、
を備えたことを特徴とする梱包材。
【請求項２】
包装部材と、
前記包装部材の上に載置され、所定の幅を有する切断器具と、
前記切断器具の上を横断し、両端部が前記包装部材に貼付された粘着テープと、
を備えたことを特徴とする梱包材。
【請求項３】
前記切断器具は、少なくとも側部の一方の辺にブレードを有することを特徴とする請求項２に記載の梱包材。
【請求項４】
前記ブレードは、プラスチックにより形成されたことを特徴とする請求項３に記載の梱包材。
【発明の詳細な説明】
【技術分野】
【０００１】
本発明は、粘着テープを用いた梱包材に関するものである。
【背景技術】
【０００２】
段ボールなどの包装部材を梱包する際には、ガムテープなどの粘着テープが用いられる。
図６は、段ボールとガムテープからなる梱包材の斜視図である。図６に示すように、被梱包物（図示しない）が段ボール１の中に収納され、一対の蓋部１ａ、１ｂの合わせ目に沿って、ガムテープ２が貼付されている（例えば、特許文献１  図２（ａ）参照）。
【０００３】
【特許文献１】特開平９−２４０６２６号公報
【発明の開示】
【発明が解決しようとする課題】
【０００４】
上記従来の梱包材において、段ボール１に貼付されたガムテープ２を剥がす際に、ガムテープ２の端部に爪を立てる等の作業に手間取り、開梱の作業効率が悪くなるという問題があった。
【０００５】
本発明は上記課題を解決するためになされたもので、段ボールなどの包装部材に貼付されている粘着テープを剥がす作業を容易にし、開梱の作業効率を高くすることを目的とする。
【課題を解決するための手段】
【０００６】
本発明に係る梱包材は、包装部材と、前記包装部材の上に載置した紐と、前記紐の上に載置した紙と、前記紙の外周より内側で前記紐と交差して前記紙の上を横断し、両端部を前記包装部材に貼付した粘着テープとを備えたことを特徴とする。
【発明の効果】
【０００７】
本発明によれば、段ボールなどの包装部材に貼付されている粘着テープを剥がす作業を容易にし、開梱の作業効率を高くする梱包材を得ることができる。
【発明を実施するための最良の形態】
【０００８】
以下、図面を参照しながら本発明の実施の形態について説明する。なお、各図において同一または相当する部分には同一符号を付して、その説明を簡略化ないし省略する。
【０００９】
実施の形態１．
図１は、本実施の形態に係る梱包材の斜視図である。
図１に示す梱包材は、包装部材としての段ボール１、粘着テープとしてのガムテープ２、紐３、および紙４とにより構成されている。段ボール１は直方体で、上面に蓋部１ａ、１ｂを有し、側面に側面部１ｃ、１ｄ、１ｅ、１ｆを有している。側面部１ｃと側面部１ｄとが対向し、側面部１ｅと側面部１ｆとが対向している。
段ボール１の上面に、蓋部１ａ、１ｂの合わせ目と略直角に交差するように紐３が載置されている。さらに、紐３の両端部が露出するように、紐３の上に紙４が載置されている。
ガムテープ２は、蓋部１ａ、１ｂの合わせ目に沿って貼付され、紙４の外周よりも内側で紐３と略直角に交差して紙４の上を横断している。そして、ガムテープ２の一方の端部は側面部１ｃに貼付され、他方の端部は側面部１ｄに貼付されている。また、ガムテープ２と紙４の重なった部分では、両者が粘着している。
【００１０】
次に、図１に示した梱包材のガムテープ２を段ボール１から剥がす方法について説明する。
図２（ａ）、図２（ｂ）は、図１に示したガムテープ２を切断し、剥がす過程を説明する斜視図である。
まず、図２（ａ）に示す紐３の外側部分の紙４を指などで押さえながら、紐３の端部３ｂをＡの向きに引っ張る。この結果、図２（ｂ）に示すように、ガムテープ２は、ガムテープ２ａ、２ｂに分断される。また、紙４は紙片４ａ、４ｂに分断される。ガムテープ２ａの端部には、分断された紙片４ａが接着し、ガムテープ２ｂの端部には、分断された紙片４ｂが接着している。
次に、図２（ｂ）に示したガムテープ２ａの端部をＢの向きに引き、ガムテープ２ａを段ボール１から剥がす。さらに、ガムテープ２ｂの端部をＢ’の向きに引き、ガムテープ２ｂを段ボール１から剥がす。
【００１１】
このとき、図２（ｂ）に示したガムテープ２ａの端部は紙片４ａと接着しているため、段ボール１とは接着していない。これにより、ガムテープ２ａを段ボール１から容易に剥がすことができる。同様に、ガムテープ２ｂの端部は紙片４ｂと接着しているため、段ボール１とは接着してない。これにより、ガムテープ２ｂを段ボール１から容易に剥がすことができる。
従って、ガムテープ２を段ボール１から容易に剥がすことができ、開梱の作業効率を高くすることができる。
【００１２】
なお、本実施の形態に示した包装部材としては段ボールを用いるようにしたが、プラスチックその他の容器であっても良い。また、粘着テープとしてガムテープを用いるようにしたが、紐による切断が可能なものであれば、ビニールテープなどであっても良い。
また、紐は、紙および粘着テープを切断できる強度を有していれば、金属製のワイヤーなどであっても良い。
【００１３】
以上説明したように、本実施の形態に係る梱包材は、包装部材（段ボール１）と、段ボール１の上に載置した紐３と、紐３の上に載置した紙４と、紙４の外周より内側で紐３と交差して紙４の上を横断し、両端部を段ボール１に貼付した粘着テープ（ガムテープ２）とを備えるようにした。
【００１４】
梱包材を上記のような構成とすることにより、包装部材に貼付された粘着テープを容易に剥がすことができ、開梱の作業効率を高くすることができる。
【００１５】
実施の形態２．
図３は、本実施の形態に係る梱包材の斜視図である。以下、実施の形態１と異なる点を中心に説明する。
図３に示す梱包材は、包装部材としての段ボール１、粘着テープとしてのガムテープ２、および切断器具５とにより構成されている。
段ボール１の上面に、切断器具５が載置されている。切断器具５は柄部５ａ、５ｂ、およびブレード５ｃを有している。ガムテープ２は、蓋部１ａ、１ｂの合わせ目に沿って貼付され、ブレード５ｃと交差して切断器具５の上を横断している。そして、ガムテープ２の一方の端部は側面部１ｃに貼付され、他方の端部は側面部１ｄに貼付されている。
【００１６】
ここで、上記切断器具５の構造について説明する。
図４（ａ）は、図３に示した切断器具５の平面図である。図４（ｂ）は、図４（ａ）の切断器具５をＣ方向から見た立面図である。切断器具５はプラスチックにより形成され、両端に柄部５ａ、５ｂを有している。柄部５ａ、５ｂの表面には滑り止めの細かな凹凸形状が施されている。また切断器具５は柄部５ａと柄部５ｂとの間にブレード側部５ｄを有している。また、ブレード側部５ｄは、一方の辺に鋸状のブレード５ｃを有している。
【００１７】
次に、本実施の形態に係る梱包材を用いて粘着テープを剥がす方法について説明する。
図５（ａ）〜（ｃ）は、図３に示した粘着テープ２を切断する過程を示す斜視図である。
図５（ａ）は、図３に示した段ボール１の上面の中央部付近を示している。この時点では、ブレード側部５ｄの近傍で、ガムテープ２は段ボール１と接着している。
次に、図５（ｂ）に示すように、柄部５ａおよび５ｂをＤの方向に回転させて、ブレード５ｃを、ガムテープ２の接着面に対して垂直に立てる。ブレード側部５ｄには、適当な幅が与えられている。このため、ブレード５ｃがガムテープ２の接着面に対して垂直にされると、ブレード側部５ｄの近傍において、ガムテープ２が段ボール１から剥離される。
さらに、図５（ｃ）に示すように、柄部５ｂをＥの方向に引き上げる。この結果、ブレード５ｃに沿ってガムテープ２が切断される。
【００１８】
上記ガムテープ２を切断する作業は、鋸状のブレード５ｃを有する切断手段５を用いて行うようにした。このため、上記作業を実施の形態１よりも迅速に行うことができる。
【００１９】
また、前述したように、図５（ｂ）においてブレード側部５ｄの近傍で、ガムテープ２が段ボール１から剥離されている。これにより、分断されたガムテープ２を容易に剥がすことができる。従って、実施の形態１と同様に、ガムテープ２を段ボール１から剥がす際の作業効率を高くすることができる。
【００２０】
前述したように、切断器具５をプラスチックにより形成するようにした。これにより、金属などで形成する場合よりも、切断器具を安価で簡易に作製することができる。さらにガムテープ２を切断する作業を安全に行うことができる。
【００２１】
以上説明したように、本実施の形態では、包装部材（段ボール１）と、段ボール１の上に載置した切断器具５と、切断器具５のブレード５ｃと交差し、切断器具５の上を横断するように段ボール１に貼付した粘着テープ（ガムテープ２）とを備えるようにした。
【００２２】
梱包材を上記のような構成とすることにより、実施の形態１の効果に加えて、包装部材１に貼付された粘着テープを剥がす作業を、実施の形態１よりも迅速に行うことができる。これにより、開梱の作業効率を実施の形態１よりもさらに高くすることができる。
【図面の簡単な説明】
【００２３】
【図１】実施の形態１に係る梱包材を示す斜視図。
【図２】粘着テープを切断し、剥がす過程を示す斜視図。
【図３】実施の形態２に係る梱包材を示す斜視図。
【図４】切断器具の平面図および立面図。
【図５】粘着テープを切断する過程を示す斜視図。
【図６】従来の梱包材を示す斜視図。
【符号の説明】
【００２４】
１  包装部材（段ボール）、２  粘着テープ（ガムテープ）、３  紐、４  紙、５  切断器具。
【図１】
2006282200.tif 000003
【図２】
2006282200.tif 000004
【図３】
2006282200.tif 000005
【図４】
2006282200.tif 000006
【図５】
2006282200.tif 000007
【図６】
2006282200.tif 000008